(57)【要約】【課題】オンラインサービスシステムにおいてＩＣカードリーダーを活用しやすい環境を提供する。【解決手段】ＩＣカードに格納されている情報を読み取るＩＣカード読み取り２１，２２と、ＩＣカード読み取り２１，２２で読み取られた情報をファイル化するデータ処理部２６と、前記データ処理部２６によってファイル化されたファイルが保存されるファイルストレージ３２と、前記ファイルストレージ３２に保存されている情報をパソコン３４に出力する入出力制御部３１と、を備える。【選択図】図１
2011086089.tif 000002
【特許請求の範囲】
【請求項１】
出力対象の情報をファイル化するファイル化部と、
前記ファイル化部によってファイル化されたファイルが保存されるファイルストレージと、
前記ファイルストレージに保存されている情報を情報処理装置に出力する出力部と、を備えるファイル作製デバイス。
【請求項２】
前記情報には、当該情報の送信先のウェブサイトに割り当てられているＵＲＬが含まれる、請求項１記載のファイル作製デバイス。
【請求項３】
請求項１又は２記載のファイル作製デバイスと、
前記出力対象の情報としてＩＣカードに格納されている情報を読み取る読み取り部と、を備えるＩＣカードリーダー。
【請求項４】
請求項１又は２記載のファイル作製デバイスと、
当該ファイル作製デバイスによってファイル化された情報をウェブサーバにアップロードする情報処理装置とを備える、ファイル作製システム。
【発明の詳細な説明】
【技術分野】
【０００１】
本発明は、ファイル作製デバイス及びシステムに関し、特に、インターネットなどのネットワークを用いた多様なサービスを提供可能なファイル作製デバイス及びシステムに関する。
【背景技術】
【０００２】
ＩＣカードリーダーは、クレジットカード、ＳＵＩＣＡ（登録商標）、住民基本台帳カードなどに格納されているデータを読み取る物である。これらの読み取り装置は、パーソナルコンピュータ（以下、「パソコン」と称する。）等の情報処理装置に接続され、例えばｅ−Ｔａｘ、通信販売などのオンラインサービスシステムに利用されている。
【０００３】
【非特許文献１】http://www.sony.co.jp/Products/felica/pcrw/e_tax.html
【発明の概要】
【発明が解決しようとする課題】
【０００４】
ここで、ＩＣカードリーダーの接続対象であるパソコンでは、ウェブブラウザー（以下、「ブラウザー」と称する。）が多々利用されているところ、ブラウザーは、セキュリティーの都合上、パソコンの資源にアクセスする機能が排除されている（ファイルのみ例外）。このため、ＩＣカードリーダーを、ブラウザーから制御することが出来ない。
【０００５】
例えば、通信販売サイトを通じてカード決済をする場合にも、クレジットカードリーダーによって、クレジットカードに格納されている、クレジットカード番号、カード利用者名義、カード有効期限などの情報を読み取って、直接通信販売サイトに対して、送信することは出来ない。このため、通信販売サイトの利用者は、パソコンに接続されているキーボードを通じて、クレジットカード番号等を手入力する必要がある。
【０００６】
国税庁のｅ−Ｔａｘサイトも、一般的なブラウザーのみを使う限り、パソコンを介して住民基本台帳カードに格納されている情報を、ｅ−Ｔａｘサイトに送信する事は出来ない。
【０００７】
インターネットを用いた様々なサービスにＩＣカードリーダーを適用するには、ブラウザーにＡｃｔｉｖｅＸ（登録商標）等の専用ソフトウェアを組み込むことに加えて、さらに、パソコンに対して、ＩＣカードリーダーの専用ドライバーをインストールが必要である。
【０００８】
オペレーションシステム（ＯＳ）のバージョンアップ、セキュリティ対応のためには、更新されたドライバーをインターネットを通じてパソコンにダウンロードして再インストールする必要もある。
【０００９】
そうすると、パソコンに不慣れな人にとっては、オンラインサービスシステムにおいてＩＣカードリーダーを活用するということは、どうしても敷居が高くなることから敬遠しがちである。このためか、たとえば住民基本台帳カードを用いるｅ−ＴＡＸも幅広く普及していない。
【００１０】
更に、ＩＣカードリーダーは、機種毎に専用ドライバーが異なるし、利用目的毎に異なった専用ソフト（ＡｃｔｉｖｅＸなど）をブラウザーにインストールしなければならない。したがって、ＩＣカードリーダーを汎用的に用いることは困難である。
【００１１】
そして、ブラウザーに専用ソフトウェアを組み込む場合には、セキュリティ上のリスクが生じる。このリスクは、通常、利用者が負わなければならないので、中小企業が製造販売する専用ソフトウェアは、普及しづらいという事情がある。
【００１２】
そこで、本発明は、オンラインサービスシステムにおいてＩＣカードリーダーを活用しやすい環境を提供することを課題とする。
【課題を解決するための手段】
【００１３】
上記課題を解決するために、本発明のファイル作製デバイス及びシステムは、
出力対象の情報をファイル化するファイル化部（例えば、図１のデータ処理部２６）と、
前記ファイル化部によってファイル化されたファイルが保存されるファイルストレージ（例えば、図１のファイルストレージ３２）と、
前記ファイルストレージに保存されている情報を情報処理装置（例えば、図１のパソコン３４）に出力する出力部（例えば、図１の入出力制御部３１）と、を備える。
【００１４】
より具体的には、ＩＣカードに格納されている情報を読み取る読み取り部（例えば、図１のＩＣカード読み取り２１，２２）と、
前記読み取り部によって読み取られた情報をファイル化するファイル化部（例えば、図１のデータ処理部２６）と、
前記ファイル化部によってファイル化されたファイルが保存されるファイルストレージ（例えば、図１のファイルストレージ３２）と、
前記ファイルストレージに保存されたファイルを情報処理装置からアクセス可能とするファイル入出力チャネル（例えば、図１の入出力制御部３１）とを備える。
【００１５】
前記読み取り部と前記ファイル化部と前記ファイルストレージは、ＩＣカードリーダー内部に備えてもよいし、情報処理装置に備えてもよい。
【００１６】
すなわち、本発明は、標準的なブラウザーがアクセスすることが出来るパソコンの資源は唯一ファイルであることに鑑みて、ＩＣカードリーダーが読み取った情報をファイル化している。こうすると、ファイル化された情報を、標準的なブラウザーを用いて、インターネットサーバーにアップロードする事が出来るようになる。
【００１７】
さらに、ＵＲＬ（Uniform Resource Locator）にはクエリーストリングを付加できることに鑑みて、ＵＲＬ（ブックマーク／お気に入り）を収めたショートカットファイルを別の形態で利用できるようにしてもよい。
【００１８】
また、ＩＣカードリーダーに、クレジットカードから読み取ったＩＤ等を暗号化する手段を設けてもよい。こうすると、暗号化したＩＤ等を通信販売サイトのＵＲＬにクエリーストリングとして付加し、ブックマークファイルを作成することも可能になる。
【００１９】
この結果、利用者は、ＩＣカードリーダーによって作成されたブックマークファイル（ショートカット）をダブルクリックするのみで、ブラウザーを起動させることができるので、該当する通信販売サイトに接続し、ログイン・認証まで済ませることができる。
【００２０】
また、本発明のＩＣカードリーダーは、
前記ファイルに対する同時アクセスを許す入出力制御部（ＦＩＦＯ（First In, First Out）など）、
前記ファイル化部によるファイル化処理と前記情報処理装置からのアクセス処理とのいずれかの実行中に他の処理を待機させる待機部と、
前記ファイル化部によるファイル化処理と前記情報処理装置からのアクセス処理とのいずれを実行するかを利用者に選択させる選択部などと、のいずれかを備える。
【００２１】
これにより、ファイル化処理とアクセス処理との衝突を回避することができる。
【００２２】
さらに、本発明のＩＣカードリーダーは、
前記ファイルストレージに保存されているファイルを削除する削除部と、
前記ファイルストレージに保存されているファイルを次のファイル作製時に上書きする上書部と、
前記ファイルストレージに保存されているファイルを次のファイル作製後に予め定められた基準に従って保存する保存部と、のいずれかを備える。
【００２３】
なお、これらの全てを備えておき、サーバーからダウンロードしたファイルの指示（後述）に従って、利用者がいずれかを選択して保存処理を行ってもよい。
【００２４】
また、利用者にとっての利便性は劣るが、過渡的な様態として、既存のＩＣカードリーダーにパソコン内のプログラムを組み合わせ、ファイル作成を実現してもよい。
【図面の簡単な説明】
【００２５】
【図１】
【符号の説明】
【００２６】
１０  ＩＣカードリーダー
２０  ＩＣカード読み取り部
２１  接触式ＩＣカード読み取り
２２  非接触式ＩＣカード読み取り
２３  温度センサー
２４  ＧＰＳセンサー
２５  その他センサー
２６  データ処理部
２７  第一経路
３０  中間処理装置
３１  入出力制御部
３２  ファイルストレージ
３３  第二経路
３４  パソコン
【発明の実施の形態】
【００２７】
以下、本発明の実施形態について、図面を参照して説明する。
図１は、本発明の実施形態のＩＣカードシステムの模式的な構成図である。図１に示すように、本実施形態のＩＣカードリーダー１０は、ＩＣカード読み取り部２０と中間処理装置３０とに大別される。
【００２８】
ＩＣカードリーダー１０は、ＩＣカード読み取り部２０と中間処理装置３０とを第一経路２７によって接続している。中間処理装置３０と情報処理装置であるところのパソコン３４とを第二経路３３によって接続している。第二経路３３は、ＵＳＢ（Universal Serial Bus）ケーブルなどを用いた有線経路又はBlueToothなどによる無線経路とすることができる。
【００２９】
ＩＣカード読み取り部２０は、クレジットカード又はキャッシュカードなどに格納されている情報を読む接触式ＩＣカード読み取り２１と、ＳＵＩＣＡ又はＰＡＳＭＯ（登録商標）などに格納されている情報を読む非接触式ＩＣカード読み取り２２と、例えば体温を測る温度センサー２３と、例えばＩＣカードリーダー１０の位置を計測するＧＰＳセンサー２４と、種々のその他センサー２５と、ＩＣカード読み取り２１〜２２あるいはセンサー２３〜２５から出力される情報に対して暗号化処理又は認証処理などを実行するデータ処理部２６とを備える。
【００３０】
なお、ＩＣカード読み取り部２０にセンサー２３〜２５を備えることは必須でなく、また、接触式ＩＣカード読み取り２１と非接触式ＩＣカード読み取り２２との双方を備えることも必須ではないが、これらのうちの少なくとも一つを備える。
【００３１】
中間処理装置３０は、第一経路２７を経由してＩＣカード読み取り部２０から出力される情報或いは第二経路３３を経由してパソコン３４から出力される情報を入力したりＩＣカード読み取り部２０或いはパソコン３４に対して情報を出力したりする入出力制御部３１と、入出力制御部３１によって入力された情報が保存されるファイルストレージ３２とを備える。
【００３２】
なお、図１では、データ処理部２６と入出力制御部３１とを別々に示しているが、これらを一体のハードウェア構成とし、第一経路２７を削除することも可能である。
【００３３】
ここで、本実施形態では、入出力制御部３１が、第一経路２７を通じて入力した情報を、ファイル形式あるいはブックマークファイル形式に変換してから、ファイルストレージ３２に書き込む点にユニーク性がある。入出力制御部３１は、ＩＣカード読み取り部２０あるいはパソコン３４から送信される複数の情報を入力し、各々の情報をファイル化してもよいし、幾つかを纏めてファイル化してもよい。具体的には、例えば、ＩＣカードリーダー１０が複数回に分けて検出・出力した情報を、一つのファイルに追記してもよいし、パソコン３４からプログラムと新規暗号鍵とを含む情報が出力された場合には、プログラムファイルと新規暗号鍵ファイルとを生成して、ファイルストレージ３２に保存してもよい。
【００３４】
もっとも、入出力制御部３１で行う上記ファイル化は、データ処理部２６において行ってもよい。
【００３５】
なお、ファイルストレージ３２は、市販されてＳＤカード（登録商標）、ＵＳＢメモリーなどとすることもできる。
【００３６】
パソコン３４は、既知の情報処理装置を用いることができる。本実施形態固有の動作としては、中間処理装置３０に保存されているファイル読み出して、インターネットなどのネットワークを経由してウェブサーバにアップロードすること、及び、ウェブサーバからネットワークを経由してファイルをダウンロードして、中間処理装置３０に出力することが挙げられる。
【００３７】
なお、ＩＣカードリーダー１０自体を、パソコン３４或いはそれに付属するキーボード内に組み込んでもよい。
【００３８】
また、パソコン３４の本実施形態固有の動作としては、ファイルストレージ３２にブックマークファイルが保存されている場合には、利用者によって当該ブックマークファイルに対応するアイコンがダブルクリックされたり、あるいはオートランによってアクチベートされたりしたときに、ブラウザーを起動して、対応するウェブサーバにクエリーストリングを送信することも挙げられる。
【００３９】
ＩＣカードリーダー１０は、ＩＣカードリーダー１０をパソコン３４にＵＳＢケーブルを介して接続した場合には、パソコン３４を主体的にみると、パソコン３４のＵＳＢメモリーとして振る舞うことになる。
【００４０】
つぎに、図１に示すＩＣカードシステムの動作について、インターネット通信販売時の動作を例に説明する。まず、ＩＣカードリーダー１０を、第二経路３３を通じて、パソコン３４に接続する。この状態で、ＩＣカードリーダー１０にクレジット機能を有するＩＣカードをセットすると、既知のように、データ処理部２６によって、ＩＣカードとの交信が制御され、ＩＣカードに格納されている利用者情報の読み取り処理がされ、さらに読み取られた利用者情報の暗号化などの加工が行われる。
【００４１】
更に、データ処理部２６は、上記加工後の利用者情報を、選択的に、ファイル化し、第一経路２７を経由して入出力制御部３１に出力する。ここで、「選択的に」というのは、入出力制御部３１によってファイル化処理を実行することもできるからである。したがって、入出力制御部３１によってファイル化処理を実行する場合には、データ処理部２６では、ファイル化処理を実行しない状態で、加工後の情報を中間処理装置３０へ出力することになる。
【００４２】
中間処理装置３０では、第一経路２７を経由して送られてくる情報を、入出力制御部３１によって入力し、その情報を選択的にファイル化する。そして、入出力制御部３１は、ファイル化後の情報を、ファイルストレージ３２に保存する。
【００４３】
保存の手法としては、ファイルストレージ３２に保存されているファイルを一旦削除して、新たに別ファイルとして保存することが考えられる。この他にも、ファイルストレージ３２に保存されているファイルを次のファイル作製時に上書きしてもよいし、ファイルストレージ３２に保存されているファイルを次のファイル作製後に予め定められた基準に従って保存してもよい。これらの保存手法は、利用者が選択可能とすることもできる。
【００４４】
これまでの動作により、ファイルストレージ３２には、ファイル形式の利用者情報が保存されることになる。したがって、以下説明するように、利用者がパソコン３４に対して、ＩＣカードに格納されている利用者情報を手入力する必要はない。
【００４５】
なお、ファイルストレージ３２に保存されるファイルを、通信販売サイトに割り当てられているＵＲＬに、ＩＣカードに格納されている情報をクエリーストリングの形で付加した上で、ブックマーク（お気に入り）ファイルとしてもよい。
【００４６】
こうすると、利用者が当該ブックマークファイルに対応するショートカットアイコンをダブルクリックするなどすれば、パソコン３４は、ブラウザーを起動して、当該ブックマークファイルに係るＵＲＬが割り当てられているウェブサイトでのログイン、認証を行うことができる。したがって、利用者の操作性は著しく向上する。特に、オートラン動作を利用すれば、利用者の操作が更に簡易になる。
【００４７】
利用者が、パソコン３４に対して通信販売を通じて、購入したい商品の選択等の入力処理を行うと、パソコン３４は、入力された各種情報をウェブサーバへ送信する。ウェブサーバは、パソコン３４から送信された各種情報を受信する。
【００４８】
パソコン３４は、ＩＣカードリーダー１０から出力されたファイルを入力すると、それをウェブサーバにアップロードする。この結果、ウェブサーバは、パソコン３４からアップロードされたファイル中の情報に従って、既知のように、認証処理、通信販売処理を行うことが可能となる。
【００４９】
以上説明したように、本実施形態のＩＣカードリーダー１０によれば、利用者情報がファイルストレージ３２にファイル形式で保存されることになる。そして、この利用者情報は、パソコン３４からの要求に応じて、ファイルストレージ３２から読みだされて、ウェブサーバに送信されるので、利用者がパソコン３４に対して、ＩＣカードに格納されている利用者情報を手入力しなくもよい。
【００５０】
なお、利用者情報の暗号化のための暗号鍵は、セキュリティ強化のために、例えば定期的に更新することが好ましい。サービス提供者によって更新用ファイルが作成された場合、ウェブサーバは、そのダウンロードダイアログをパソコン３４にダウンロードさせることがある。そうすると、利用者は、そのダウンロードダイアログに従って暗号鍵更新用ファイルのダウンロード指示をパソコン３４に入力することが可能となる。
【００５１】
パソコン３４は、当該入力がなされた場合には、それに従って更新用ファイルをウェブサーバからダウンロードして、ＩＣカードリーダー１０に出力する。ＩＣカードリーダー１０では、パソコン３４から出力された更新用ファイルを入力すると、それをファイルストレージ３２にファイル形式で保存すればよい。そして、次回の情報暗号化から、当該ファイル形式の更新用ファイルに基づいて、暗号化対象の情報を暗号化すればよい。
【００５２】
なお、同様の手法によって、データ処理部２６によって実行されるプログラムファイル、入出力制御部３１によって実行されるプログラムファイル、或いは、これらの更新ファイルを、ファイルストレージ３２にファイル形式で保存することも可能である。
【００５３】
なお、標準的なブラウザーには、サーバーファイルのダウンロード機能が備わっているので、暗号鍵をファイル形式でＩＣカードリーダー１０内にダウンロードするように仕向けることが出来る。したがって、ニッチなサービスであっても、提供者は専用ウェブサイトを作成して、ＩＣカードリーダー１０にプログラムファイルを書き込むだけで、容易に固有の機能を実現でき、しかも利用者はブラウザーの標準機能のみを用い、専用ソフトウェアのインストールを伴わないで済むので、セキュリティ的にも安心である。
【００５４】
何れにせよ、ファイルを扱うことができるというブラウザーの性質を利用して、サービス提供者が用意するサービスを簡易に、利用者が活用できるようにすれば、ＩＣカードリーダー１０の飛躍的な利用増進が実現できる。
【００５５】
なお、本実施形態では、インターネット通信販売時の動作を例に、ＩＣカードシステムの動作について説明したが、例えば、ＩＣカードとしてＳＵＩＣＡを用いた場合には、利用者としては、ＩＣカードリーダー１０とパソコン３４とを接続して、ＩＣカードリーダー１０にＳＵＩＣＡを翳すだけで、パソコン３４を通じて既存の社内交通費清算サービスサイトに接続して、パソコン３４の表示画面に、ＳＵＩＣＡから読み取られた交通費の一覧表を表示させることも可能となる。
【００５６】
こうすると、利用者は、その一覧表に表示される交通費のうち、経費として社内清算をさせたいものを選択し、ウェブサーバに送信させることも可能となる。係る場合、会社の経理担当者などが、ウェブサーバを通じて社内清算対象の情報を入手することも可能となる。
【００５７】
結局のところ、ＩＣカードリーダー１０に限らず、一般的にパソコン３４がデータを読み込む入力デバイスが、入力デバイス自体でファイルを作製し、そのファイルをパソコン３４が入力でき、かつ、当該ファイルをブラウザーを用いて所定のウェブサーバにアップロードするものではあれば、本発明に含まれるものとする。これにより、ウェブサービスやクラウドコンピューティングに対して利便性と親和性とが高くなる。
【００５８】
また、カード読み取り２１〜２２を通じて、ＩＣカードに格納されている情報を読み出すことに代えて、温度センサー２３などの計測結果を、所定のウェブサーバにアップロードさせることも可能である。こうすると、例えば、病院退院後の患者の予後管理をオンラインで行うことが可能となる。
【００５９】
具体的には、温度センサー２３であるところの体温計によって、利用者の体温データを病院のウェブサーバに、利用者が簡易にパソコン３４を操作するだけで、アップロードすることも可能となる。同様に、患者の予後管理のみならず、医療機関での検査データ収集、基礎体温の解析・管理などにも適用可能である。
【００６０】
また、ポータブルタイプのＧＰＳセンサー２４を用いると、例えば、マラソンランナーの走行情報を、利用者が簡易にパソコン３４を操作するだけで、オンラインで管理することも可能となる。具体的には、マラソンランナーがリストウォッチタイプのＧＰＳセンサー２４搭載の計測器を身につけてトレーニングをした場合、ランナーが走行したコースの位置情報が計測器に定期的にプロットされていくことになる。
【００６１】
この場合、ＧＰＳセンサー２４を内蔵するＩＣカードリーダー１０を使用すれば、既述の要領で、ＧＰＳセンサー２４からの位置情報が集積・ファイル化され、ウェブサーバに当該位置情報がアップロードされることになる。
（その他）
通信販売における本人認証の他、インターネットと組み合わせた小規模な以下のような業務に利用することができる。すなわち、専用クレジット端末や回線を持たない零細な商店におけるクレジット販売、ＲＦＩＤタグ用専用システムを持たない企業における同タグに対応した在庫管理、携帯電話のブラウザーと組み合わせて、街頭でのクレジットカードによる募金活動、露天営業、集金にも利用することができる。
【図１】
2011086089.tif 000003
【手続補正書】
【提出日】平成21年10月23日(2009.10.23)
【手続補正１】
【補正対象書類名】明細書
【補正対象項目名】００２５
【補正方法】変更
【補正の内容】
【００２５】
【図１】本発明の実施形態のＩＣカードシステムの模式的な構成図である。